(57)【要約】【課題】長寿命で、信頼性の高い偏芯ベアリングを提供する。【解決手段】駆動側のシャフト（図示せず）に係合される内径部３０２ｂを有する内輪３０２と、従動側の回転体（図示せず）に係合される外輪３０１と、内輪３０２と外輪３０１間で周方向に均等に配され且つ回転自在に保持された転動体３０３とを備え、内径部３０２ｂの中心を、外輪３０１の外径中心に対して偏芯した位置に配置したもので、回転軸に対して偏芯した状態で延出した第一の凸部（図示せず）及び第一の凸部に対抗する位置に配置された第二の凸部（図示せず）を有するシャフト（図示せず）で、スクロール型圧縮機の可動スクロール（図示せず）を旋回運動させる場合、第一の凸部を内径部３０２ｂに、第二の凸部を、内径部３０２ｂに対抗する位置に配された凹部３０２ｃに係合するだけで、偏芯ブッシュを使用せずに、可動スクロールを直接旋回運動させることができる。【選択図】図２
2013060966.tif 000002
【特許請求の範囲】
【請求項１】
駆動側のシャフトに係合される内径部を有する内輪と、従動側の回転体に係合される外輪と、前記内輪と前記外輪間で周方向に均等に配され且つ回転自在に保持された転動体とを備え、前記内径部の中心を、前記外輪の外径中心に対して偏芯した位置に配置したことを特徴とする偏芯ベアリング。
【請求項２】
渦巻状に構成されたラップ曲面を備えた固定スクロールと、同じく渦巻状に構成され前記固定スクロールに対抗するように配置された可動スクロールと、内径部に対抗する位置に凹部を設けた請求項１に記載の偏芯ベアリングと、前記可動スクロールの背面に設けられると共に前記偏芯ベアリングを収納するボス部とを備え、回転軸に対して偏芯した状態で延出した第一の凸部及び前記第一の凸部に対抗する位置に配置された第二の凸部を有するシャフトで前記可動スクロールを旋回運動させるスクロール型圧縮機において、前記第一の凸部を前記内径部に、前記第二の凸部を前記凹部に夫々係合させて、前記可動スクロールを旋回運動させることを特徴としたスクロール型圧縮機。
【発明の詳細な説明】
【技術分野】
【０００１】
本発明は、偏芯ベアリング及びスクロール型圧縮機に関するものである。
【背景技術】
【０００２】
従来のスクロール型圧縮機は、例えば、特許文献１に開示されているように、ハネを径方向に追随接触させるリンク結合機構を備えている。
【０００３】
図５は、上記特許文献１に示された従来のスクロール型圧縮機の追随接触を行うためのリンク機構を示すもので、略渦巻状に形成された固定スクロール１０１に噛み合うように配置された略渦巻き状の形状を持つ可動スクロール１０２の渦巻きが形成されている反対側の面には、円筒状のボス１０２ａが形成されており、その内部には旋回ベアリング１０３が配置されている。
【０００４】
シャフト１０４には、その回転中心から偏芯した位置に軸方向に延出した駆動ピン１０４ａが構成されていると共に、駆動ピン１０４ａに対抗する位置に、回転方向規制穴（図示せず）が配置されている。前記旋回ベアリング１０３とシャフト１０４は、前記駆動ピン１０４ａと係合する偏芯穴１０５ａと回転方向規制穴に係合する規制ピン１０５ｂを備えた偏芯ブッシュ１０５とで連結され、シャフト１０４の回転により、可動スクロール１０２を旋回運動させる構成を取っている。
【０００５】
偏芯ブッシュ１０５は、係合された駆動ピン１０４ａの周りに回転可能であり、回転方向規制穴と規制ピン１０５ｂの嵌合隙間にて、偏芯ブッシュ１０５の駆動ピン１０４ａ周りの回転可能角度を規制するリンク機構によりハネの径方向の追随接触を実現している。
【０００６】
更にハネを半径方向に追随接触させるスクロール型圧縮機のリンク機構として、特許文献２には、駆動ピン１０４ａと回転方向規制穴の機能を一体化した略菱形形状の凸部を備えたシャフトと、偏芯穴１０５ａと規制ピン１０５ｂの機能を一体化した偏芯ブッシュにて小型化を図るようにした技術が開示されている（詳細構成は省略）。
【先行技術文献】
【特許文献】
【０００７】
【特許文献１】特公昭５８−１９８７５号公報
【特許文献２】特開平８−１５９０５３号公報
【発明の概要】
【発明が解決しようとする課題】
【０００８】
このような従来のスクロール型圧縮機のハネの径方向に追随接触させるリンク機構においては、シャフト１０４からの駆動力の伝達は、駆動ピン１０４ａからなされるわけであるが、偏芯ブッシュ１０５を介して旋回ベアリング１０３と係合させるため、偏芯ブッシュ１０５の外径を、駆動ピン１０４ａの外径より大きくする必要があり、偏芯ブッシュ１０５が大径化し、ひいては、旋回ベアリング１０３を大型化せざる得なくなり、スクロール型圧縮機の大型化を招くという欠点があった。
【０００９】
更に、一般的には、旋回ベアリング１０３の寿命向上には、図４（ａ）に示す内輪３０２と外輪３０１間を転動する転動体３０３の径を大きく取りたいところであるが、前記偏芯ブッシュ１０５の大型化に伴い、旋回ベアリング１０３の内輪３０２の内径にも制約があり、旋回ベアリング１０３の寿命向上にも限界があり、寿命向上の観点においても大型
化が避けられないという課題を有していた。
【００１０】
本発明は、前記従来の課題を解決するもので、偏芯ブッシュなしに直接シャフトと係合させることが可能となり、大型化を招くことなく、また同一サイズにおいて長寿命で信頼性の高いスクロール型圧縮機を提供することを目的とする。
【課題を解決するための手段】
【００１１】
前記従来の課題を解決するために、本発明の偏芯ベアリングは、駆動側のシャフトに係合される内径部を有する内輪と、従動側の回転体に係合される外輪と、前記内輪と前記外輪間で周方向に均等に配され且つ回転自在に保持された転動体とを備え、前記内径部の中心を、前記外輪の外径中心に対して偏芯した位置に配置したもので、回転軸に対して偏芯した状態で延出した第一の凸部及び前記第一の凸部に対抗する位置に配置された第二の凸部を有するシャフトで、スクロール型圧縮機の可動スクロールを旋回運動させる場合、内径部に対抗する位置に凹部を設け、第一の凸部を内径部に、第二の凸部を凹部に夫々係合させるだけで、従来の偏芯ブッシュを使用すること無く、可動スクロールを直接旋回運動させることができるので、長寿命で信頼性の高いスクロール型圧縮機を提供することができる。
【００１２】
また、本発明のスクロール型圧縮機は、渦巻状に構成されたラップ曲面を備えた固定スクロールと、同じく渦巻状に構成され前記固定スクロールに対抗するように配置された可動スクロールと、内径部に対抗する位置に凹部を設けた請求項１に記載の偏芯ベアリングと、前記可動スクロールの背面に設けられると共に前記偏芯ベアリングを収納するボス部とを備え、回転軸に対して偏芯した状態で延出した第一の凸部及び前記第一の凸部に対抗する位置に配置された第二の凸部を有するシャフトで前記可動スクロールを旋回運動させるスクロール型圧縮機において、前記第一の凸部を前記内径部に、前記第二の凸部を前記凹部に夫々係合させて、前記可動スクロールを旋回運動させるもので、シャフトの駆動ピン（第一の凸部、第二の凸部）と、内輪の内径部と凹部を、偏芯ブッシュを介さずに直接係合することができるので、大型化を押さえ、または同一サイズにて長寿命で、信頼性の高いスクロール型圧縮機を提供することが可能となる。
【発明の効果】
【００１３】
本発明の偏芯ベアリングは、スクロール型圧縮機に用いる場合、内径部に対抗する位置に凹部を設け、シャフトの、回転軸に対して偏芯した状態で延出した第一の凸部を、内径部に、また、シュフトの第一の凸部に対抗する位置に配置された第二の凸部を凹部に夫々係合させるだけで、従来の偏芯ブッシュを使用すること無く、回転体である可動スクロールを直接旋回運動させることができるので、長寿命で、信頼性の高いスクロール型圧縮機を提供することができる。
【図面の簡単な説明】
【００１４】
【図１】本発明の実施の形態１における偏芯ベアリングの平面図
【図２】同偏芯ベアリングの断面図
【図３】同偏芯ベアリングを用いたスクロール型圧縮機の構成図
【図４】（ａ）従来のスクロール型圧縮機の旋回ベアリング部の断面図、（ｂ）同偏芯ベアリングの断面図
【図５】従来のスクロール型圧縮機の構成図
【発明を実施するための形態】
【００１５】
第１の発明は、駆動側のシャフトに係合される内径部を有する内輪と、従動側の回転体に係合される外輪と、前記内輪と前記外輪間で周方向に均等に配され且つ回転自在に保持された転動体とを備え、前記内径部の中心を、前記外輪の外径中心に対して偏芯した位置
に配置したもので、回転軸に対して偏芯した状態で延出した第一の凸部及び前記第一の凸部に対抗する位置に配置された第二の凸部を有するシャフトで、スクロール型圧縮機の可動スクロールを旋回運動させる場合、内径部に対抗する位置に凹部を設け、第一の凸部を内径部に、第二の凸部を凹部に夫々係合させるだけで、従来の偏芯ブッシュを使用すること無く、可動スクロールを直接旋回運動させることができるので、長寿命で信頼性の高いスクロール型圧縮機を提供することができる。
【００１６】
第２の発明は、渦巻状に構成されたラップ曲面を備えた固定スクロールと、同じく渦巻状に構成され前記固定スクロールに対抗するように配置された可動スクロールと、内径部に対抗する位置に凹部を設けた請求項１に記載の偏芯ベアリングと、前記可動スクロールの背面に設けられると共に前記偏芯ベアリングを収納するボス部とを備え、回転軸に対して偏芯した状態で延出した第一の凸部及び前記第一の凸部に対抗する位置に配置された第二の凸部を有するシャフトで前記可動スクロールを旋回運動させるスクロール型圧縮機において、前記第一の凸部を前記内径部に、前記第二の凸部を前記凹部に夫々係合させて、前記可動スクロールを旋回運動させるもので、シャフトの駆動ピン（第一の凸部、第二の凸部）と、内輪の内径部と凹部を、偏芯ブッシュを介さずに直接係合することができるので、大型化を押さえ、または同一サイズにて長寿命で、信頼性の高いスクロール型圧縮機を提供することが可能となる。
【００１７】
以下、本発明の実施の形態について、図面を参照しながら説明する。なお、この実施の形態によって本発明が限定されるものではない。
【００１８】
（実施の形態１）
本発明の実施の形態１における偏芯ベアリング及びスクロール型圧縮機について、図１〜４を用いて説明する。
【００１９】
図１は、本実施の形態１における偏芯ベアリングの平面図、図２は、同偏芯ベアリングの断面図である。
【００２０】
図１、２において、本実施の形態における偏芯ベアリング３００の、被回転体（図示せず）に係合される外輪３０１は、転動体３０３と接触可能な略円弧状の外輪凹部３０１ａを備え、外輪凹部３０１ａに対抗する位置に、転動体３０３と接触可能な内輪凹部３０２ａを有した内輪３０２が配置されている。
【００２１】
内輪３０２には、前記外輪３０１の外径の中心に対して偏芯した位置に内径部３０２ｂと、前記内径部３０２ｂに対抗する位置に凹部３０２ｃを有している。
【００２２】
図３は、以上のように構成された偏芯ベアリング３００を用いたスクロール型圧縮機の構成を示している。
【００２３】
図３において、渦巻状に構成されたラップ曲面を有する固定スクロール１に対抗する位置に配され、同じく渦巻き状に構成された可動スクロール２は、その背面に、偏芯ベアリング３００を収納するボス部２ａを有している。シャフト４は、軸方向に突出した第一の凸部４ａと、第一の凸部４ａに対抗する位置に配された第二の凸部４ｂとを有している。
【００２４】
偏芯ベアリング３００は、冒頭で述べたように、外輪３０１に対して偏芯した位置に内径部３０２ｂを備え、内径部３０２ｂに対抗する位置に凹部３０２ｃを備えている。シャフト４と偏芯ベアリング３００は、第一の凸部４ａと内径部３０２ｂが係合され、同時に第二の凸部４ｂと内輪３０２に設けた凹部３０２ｃが係合された状態で装着される。
【００２５】
シャフト４の回転によって、第一の凸部４ａが駆動ピンとなり、偏芯ベアリング３００を介して、可動スクロール２を旋回運動させて流体を圧縮している（図示はしないがシャフト４の回転運動を旋回運動に変換するための自転防止機構を備えている）。
【００２６】
図４は、従来のスクロール型圧縮機と本実施の形態におけるそれとの差を説明するためのもので、図４（ａ）は、従来のスクロール型圧縮機の旋回ベアリング１０３と偏芯ブッシュ１０５を係合した状態の断面図、図４（ｂ）は、本実施の形態における偏芯ベアリング３００の断面図である。
【００２７】
シャフト４との係合において、本実施の形態と凹凸関係に差はあるが、偏芯ブッシュ１０５を備えているかどうかの差以外のディメンジョンは同じである。
【００２８】
以上のように構成された本実施の形態における偏芯ベアリング３００及びスクロール型圧縮機によると、偏芯ブッシュと旋回ベアリングを一体化でき部品点数を削減できると共に、図４の従来例との比較において、偏芯ブッシュ１０５がない分、内輪３０２に設けられた凹部３０２ｃと内径部３０２ｂの最小肉厚は、従来に比べ大きく取ることが可能となる。その分、転動体３０３の径を大きくすることが可能となり、外輪３０１の外径を大きくすることなく、旋回軸受け手段としての寿命を、向上させることが可能となる。
【００２９】
逆に転動体３０３のサイズを変更せずに、内輪３０２の凹部３０２ｃを内側に寄せることにより、外輪３０１の外径を小さくできることが可能となり、サイズを大きくすることなく長寿命化を実現することが可能、もしくは、同一寿命にてサイズダウンの実現可能なスクロール型圧縮機を提供することが可能となる。
【００３０】
上記実施の形態では、シャフト４より延出した第一の凸部４ａおよび第二の凸部４ｂを偏芯ベアリング３００の凹部（内径部３０２ｂ、凹部３０２ｃ）に係合させた構成としているが、シャフト４側を凹部とし、偏芯ベアリング３００側を凸部としても、同一の効果が得られることは、容易に考えられる。
【産業上の利用可能性】
【００３１】
以上のように本発明にかかる偏芯ベアリング及びスクロール型圧縮機は、可動スクロールを旋回させる旋回軸受け手段として、外輪外径中心に対して偏芯した位置に内輪内径をもつ偏芯ベアリングを用いることで、偏芯ブッシュなしにシャフトとの係合が可能となり、ベアリングを大きくすることなく長寿命化の実現、または同一寿命であれば小型化が可能となるもので、各種スクロール型圧縮機に適用できる。
【符号の説明】
【００３２】
１  固定スクロール
２  可動スクロール
４  シャフト
４ａ  第一の凸部
４ｂ  第二の凸部
３００  偏芯ベアリング
３０１  外輪
３０２  内輪
３０２ｂ  内径部
３０２ｃ  凹部
３０３  転動体
【図１】
2013060966.tif 000003
【図２】
2013060966.tif 000004
【図３】
2013060966.tif 000005
【図４】
2013060966.tif 000006
【図５】
2013060966.tif 000007